(57)【要約】【課題】本発明は、入力装置の位置に制限されることなく、表示装置を遠近方向の操作者の希望する位置に調整可能な携帯型電子機器を提供する。【解決手段】ノート型パソコン１は、入力装置２を有する本体３と表示装置４とをその両側面部にて接続部材５で接続している。接続部材５は、本体３及び表示装置４に対して所定の角度範囲内で回動可能に取り付けられており、本体３に対して表示装置４の位置を遠近方向に調整する機能や、角度を調整する機能を有している。そして、操作者が、入力装置２を操作しやすい位置に設置した後、接続部材５の端部５ａを回動調節して遠近距離を決定し、次に端部５ｂを回動調節して操作者の視認性の良い位置に表示装置４の角度を決定するようになっている。【選択図】  図１
2004199219.tif 000002
【特許請求の範囲】
【請求項１】
操作者によって情報が入力される入力装置を有する本体と、
各種情報を表示する表示装置と、
前記本体に前記表示装置を接続すると共に、前記表示装置の表示面を前記入力装置の上方側に向けた状態で、前記表示装置の位置を前記本体の上方に重なる第１の位置と前記本体の上方に重ならない第２の位置との間に移動可能な接続部材と、
を有することを特徴とする携帯型電子機器。
【請求項２】
前記接続部材は、更に、前記本体における前記入力装置を挟む方向の両側面部と、前記表示装置の前記表示面を挟む方向の両側面部とを接続することを特徴とする請求項１記載の携帯型電子機器。
【請求項３】
前記接続部材は、更に、伸縮自在に形成されていることを特徴とする請求項１または請求項２記載の携帯型電子機器。
【請求項４】
前記接続部材の一端部をスライドすることにより前記表示装置と前記本体との間の距離を調整する取付部材を有することを特徴とする請求項１または請求項２記載の携帯型電子機器。
【発明の詳細な説明】
【０００１】
【発明の属する技術分野】
本発明は、特にノート型パソコンやラップトップ型パソコンと称される携帯型電子機器に関し、表示部の位置をユーザの好む位置に調整する機能に関する。
【０００２】
【従来の技術】
従来の携帯可能なパソコンでは、液晶パネルとキーボード部が互いの一辺で固定されており、液晶パネルとキーボード部の位置関係は変えることができなかった。従って、キーボード部を操作者の操作しやすい位置に設置すると、液晶パネルは必ずしも視認性の良い位置にあるとは限らず、また液晶パネルを操作者の視認性の良い位置に設置すると、キーボード部が操作しやすい位置にあるとは限らないという構成であった。
【０００３】
このような問題を解決するため、例えば特開平１０−３２６１２１号公報に記載されているように、キーボード部にヒンジを介して固定された外部カバーに対して、ディスプレイ部がスライドすることにより、ディスプレイ部とユーザの距離を、キーボード部から離れる方向に調整可能となるパーソナルコンピュータが考えられている。
【０００４】
【特許文献１】
特開平１０−３２６１２１号公報
【０００５】
【発明が解決しようとする課題】
しかしながら、従来の装置では、ディスプレイ部（あるいは外部カバー）が固定されたキーボード部のヒンジの位置から遠くなる方向のみの調整機能しか有しておらず、ヒンジの手前方向（近い方向）へ調整することができない構成となっており、ディスプレイ部が近い位置を希望するユーザに対しては何等調整機能を有していないのと同等であった。
【０００６】
本発明は、以上の点に鑑みなされたもので、入力装置の位置に制限されることなく、表示装置を遠近方向の操作者の希望する位置に調整可能な携帯型電子機器に提供することを目的とする。
【０００７】
【課題を解決するための手段】
上記目的を達成するために、本発明の携帯型電子機器は、操作者によって情報が入力される入力装置を有する本体と、各種情報を表示する表示装置と、前記本体に前記表示装置を接続すると共に、前記表示装置の表示面を前記入力装置の上方側に向けた状態で、前記表示装置の位置を前記本体の上方に重なる第１の位置と前記本体の上方に重ならない第２の位置との間に移動可能な接続部材と、を有することを特徴とする。
【０００８】
【発明の実施の形態】
（第１の実施例）
以下、本発明に係る実施の形態について図面を参照して詳細に説明する。
【０００９】
図１乃至図７を用いて、本発明の一実施の形態に係るノート型パーソナルコンピュータ（以下ノート型パソコンと称す）１の第１の実施例の構成について説明する。図１乃至図２はノート型パソコン１の第１の実施例の構成を示す斜視図である。
【００１０】
図１乃至図２に示すノート型パソコン１は、キーボード等からなる入力装置２を有する本体３と、液晶パネル等からなる表示装置４とからなり、接続部材５によって夫々接続されている。
【００１１】
本体３は、このノート型パソコン１のマザーボードを内蔵しており、その上面には入力装置２が露出するよう設定されている。この本体３における両側面部３ａ、３ｂの後方に、接続部材５の一端部５ａが取り付けられている。
【００１２】
表示装置４は、一方の面に表示面を有し、その両側面部４ａ、４ｂに、接続部材５の他端部５ｂが取り付けられている。
【００１３】
接続部材５は、その一端部５ａが本体３に対して所定の角度範囲内で回動可能に取り付けられており、他端部５ｂが表示装置４に対して所定の角度範囲内で回動可能に取り付けられている。
【００１４】
また、接続部材５の端部５ａ、５ｂは、所定以上の力が加わると回動し、力が加わらない状態においては本体３に対して回動した位置で表示装置４を保持するように調整された状態で、取り付けられている。
【００１５】
特に、本実施例の構成では、接続部材５の端部５ａは、その回動動作によって、本体３に対して表示装置４の位置を遠近方向に調整する機能を有している。接続部材５の端部５ｂは、その回動動作によって、表示装置４の位置を角度を調整する機能を有している。
【００１６】
また、接続部材５は、図３に示すように、ある範囲内まで矢印Ａ、Ｂ方向に伸縮自在に構成されており、高低方向に調整する機能を有している。
【００１７】
即ち、接続部材５を矢印Ｂ方向に縮めることによって、本体３と表示装置４との距離を短く（近く）することができる。また接続部材５を矢印Ａ方向に延ばすことによって、本体３と表示装置４との距離を長く（遠く）することができる。
【００１８】
従って、操作者が、入力装置２を操作しやすい位置に設置した後、例えば表示装置４をより遠くの（入力装置２から離れた）位置に配置させたい場合には、図１に示すノート型パソコン１の状態にする。
【００１９】
即ち、接続部材５の端部５ａを入力装置２より遠い方向に回動調節することにより、表示装置４が入力装置２さらには本体３に重ならない位置（即ち操作者から遠い位置）に配置することができる。次に、端部５ａの回動調節後、接続部材５の端部５ｂを回動調節することにより、操作者の視認性の良い位置に表示装置４の角度を決定する。
【００２０】
操作者が、入力装置２を操作しやすい位置に設置した後、例えば表示装置４をより近くの（入力装置２に重なる）位置に配置させたい場合には、図２に示すノート型パソコン１の状態にする。
【００２１】
即ち、接続部材５の端部５ａを操作者側へ回動調節することにより、表示装置４が本体３さらには入力装置２の上方に重なる位置（即ち操作者に近い位置）に配置することができる。次に、端部５ａの回動調節後、接続部材５の端部５ｂを回動調節することにより、操作者の視認性の良い位置に表示装置４の角度を決定する。
【００２２】
また、ノート型パソコン１を使用しない場合や携帯する場合には、図４に示すように、接続部材５を短く縮めて、表示装置４を本体３方向に倒し、入力装置２を覆った状態にすることによって、ノート型パソコン１は閉じた状態となる。
【００２３】
次に、図５及び図６を用いて、上述した第１の実施例における本体３から表示装置４に対する表示情報の送受信構成について説明する。
【００２４】
例えば、図５に示すように、表示装置４と本体３は螺旋状に構成されたデータ送受信用のケーブル６で接続されており、表示装置４の配置に伴う距離の変化に対応できるようになっている。また、ケーブル６の螺旋内部にバネ性のガイドワイヤー７を通している。
【００２５】
この結果、図１及び図２に示す開いた状態では、ケーブル６及びガイドワイヤー７は引っ張られ延びた状態となり、図４に示す閉じた状態では、ガイドワイヤー７のバネ性によってケーブル６も縮められ、もとの螺旋状に戻り、所定の部位に収納された状態となる。このガイドワイヤー７は、メジャーのような巻尺方式でも良く、またゴムひも方式でも良い。巻尺方式の場合には、ガイドワイヤー７の材質は、金属、ナイロンやたこ糸等が適している。
【００２６】
尚、表示情報の送受信に関する構成は、図５及び図６に示した構成に限ることなく、本発明は達成される。即ち、接続部材５の内部を空洞に構成し、この接続部材５内部にケーブル（信号線）を通すことも可能である。また、表示装置４及び本体３内部に無線送受信装置を内蔵することにより、無線で表示情報を送受信することも可能である。
【００２７】
次に、図７を用いて、上述した第１の実施例における接続部材５の端部５ｂの取り付け方法の変形例を説明する。上述した第１の実施例における接続部材５の構成では、表示装置４の両側面に取り付けられている２つの端部５ｂにて、独立して角度調節するようになっている。これに対して、この変形例では、表示装置４が操作者に対向した状態を維持したまま角度調整可能な構成である。
【００２８】
即ち、表示装置４は、図７（ａ）に示すように、その裏面（表示面とは反対側の面）に、接続部材５の端部５ｂが接続される箇所を結ぶように軸穴８が形成されたヒンジ部９が設けられている。
【００２９】
また、接続装置５は、図７（ｂ）に示すように、表示装置４及び本体３の左右に分かれて設けられた２本の接続装置５の端部５ｂ間を、棒部材１０で接続されている。この棒部材１０は、上述する軸穴８の円周形状に沿った曲面を有している。
【００３０】
従って、この棒部材１０を軸穴８に通した後、接続装置５の各端部５ｂに取り付けることにより、表示装置４を平行な状態に維持したまま角度を調整できる。尚、変形例として断面円形の曲板を用いたが、これに限らず断面多角形となる構成でも良い。
【００３１】
このように第１の実施例では、表示装置４を入力装置２に対して、入力装置２上方に重なる程操作者（入力装置）に近い位置と、入力装置２に重ならず操作者（入力装置）から遠い位置との間を位置調整する構成となっている。従って、省スペースな携帯型電子機器でありながら、操作者の好みに応じて表示装置の位置を近距離にも遠距離にも調整することができるという効果を奏する。
【００３２】
更に、表示装置４と入力装置２を含む本体３とを接続する接続部材５が伸縮自在に形成されているため、表示装置に遠近距離の調整のみに限らず、操作者の好みに応じて表示装置の高さをも調整することができるという効果を奏する。
【００３３】
また、接続部材５が表示装置４の両端部４ａ，４ｂ、本体３の両端部３ａ、３ｂに接続されているため、表示装置４の位置や角度が、接続部材５の位置に限定されずに、自由に調整できると言う効果も奏する。
【００３４】
（第２の実施例）
次に、図８乃至図１２を用いて、ノート型パソコン１の第２の実施例の構成について説明する。尚、接続部材以外の構成は第１の実施例と同様であるため説明を省略する。図８乃至図１１はノート側パソコン１の第２の実施例の構成を示す斜視図である。
【００３５】
図８乃至図１１に示すように、接続部材１５は棒（板）状に形成されており、本体３の両側面部３ａ、３ｂの後方に、接続部材１５の一端部（１５ａ側）が取付部材１６を介して取り付けられている。また、表示装置４は、その両側面部４ａ、４ｂに、接続部材１５の他端部１５ｂが取り付けられている。
【００３６】
接続部材１５は、その他端部１５ｂが表示装置４に対して所定の角度範囲内で回動可能に取り付けられている。その一端部１５ａ側が挿入されている取付部材１６では、本体３に対して所定の角度範囲内で回動可能に取り付けられている。
【００３７】
また、接続部材１５は、図１２に示すように、棒状に形成された接続部材１５が矢印Ｃ、Ｄ方向にある範囲内で移動可能に形成されており、本体３と表示装置４との距離を調整する機能を有している。
【００３８】
また、取付部材１６、接続部材１５の端部１５ｂにおいては、所定以上の力が加わると移動／回動し、力が加わらない状態においては本体３に対して回動した位置で表示装置４を保持するように調整された状態で、取り付けられている。
【００３９】
特に、本実施例の構成では、取付部材１６は、接続部材１５の移動や自己１６の回動動作によって、本体３に対して表示装置４の位置を遠近方向に調整する機能を有している。接続部材１５の端部１５ｂは、その回動動作によって、表示装置４の位置を角度を調整する機能を有している。
【００４０】
このような構成により、取付部材１６に対して接続部材１５を移動させていっぱいに延ばすことにより、表示装置４と本体３との距離を長く（遠く）することができる。また、取付部材１６に対して端部１５ｂが隣接する位置に接続部材１５を移動させると、本体３と表示装置４との距離を短く（近く）することができる。
【００４１】
従って、操作者が、入力装置２を操作しやすい位置に設置した後、例えば表示装置４をより遠くの（入力装置２から離れた）位置に配置させたい場合には、図８に示すノート型パソコン１の状態にする。
【００４２】
即ち、接続部材１５の取付部材１６に対して接続部材１５を移動させていっぱいに延ばし、取付部材１５ｂを入力装置２より遠い方向に回動調節することにより、表示装置４が入力装置２さらには本体３に重ならない位置（即ち操作者から遠い位置）に配置することができる。次に、端部５ａの回動調節後、接続部材１５の端部１５ｂを回動調節することにより、操作者の視認性の良い位置に表示装置４の角度を決定する。
【００４３】
操作者が、入力装置２を操作しやすい位置に設置した後、例えば表示装置４をより近くの（入力装置２に重なる）位置に配置させたい場合には、図９に示すノート型パソコン１の状態にする。
【００４４】
即ち、接続部材１５の取付部材１６に対して接続部材１５を移動させていっぱいに延ばし、取付部材１５ｂを操作者側へ回動調節することにより、表示装置４が本体３さらには入力装置２に重なる位置（即ち操作者に近い位置）に配置することができる。次に、端部５ａの回動調節後、接続部材５の端部５ｂを回動調節することにより、操作者の視認性の良い位置に表示装置４の角度を決定する。
【００４５】
また、取付部材１６に対して端部１５ｂが隣接する位置に接続部材１５を移動させ、取付部材１５ｂを操作者側へ回動調節することにより、表示装置４が本体３の端の位置（従来の装置と略同位置）に配置することができる。次に、端部５ａの回動調節後、接続部材５の端部５ｂを回動調節することにより、操作者の視認性の良い位置に表示装置４の角度を決定する。
【００４６】
また、ノート型パソコン１を使用しない場合や携帯する場合には、図１１に示すように、取付部材１６に対して端部１５ｂが隣接する位置に接続部材１５を移動させ、表示装置４を本体３方向に倒し、入力装置２を覆った状態にすることによって、ノート型パソコン１は閉じた状態となる。
【００４７】
尚、表示情報の送受信に関する構成は、図５及び図６に示した構成を用いることも可能であり、これに限ることなく、表示装置４及び本体３内部に無線送受信装置を内蔵することにより、無線で表示情報を送受信することも可能である。
【００４８】
このように第２の実施例では、本体３に接続する取付部材１６を回動可能に形成すると共に、この取付部材１６を基点にして棒状の接続部材１５を移動可能に形成しているため、表示装置４を入力装置２に対して、入力装置２上方に重なる程操作者（入力装置）に近い位置と、入力装置２に重ならず操作者（入力装置）から遠い位置との間を位置調整する構成となっている。
【００４９】
従って、省スペースな携帯型電子機器でありながら、操作者の好みに応じて表示装置の位置を近距離にも遠距離にも調整することができるという効果を奏する。また表示装置に遠近距離の調整のみに限らず、操作者の好みに応じて表示装置の高さをも調整することができるという効果を奏する。
【００５０】
また、接続部材５が表示装置４の両端部４ａ，４ｂに接続されているため、表示装置４の位置や角度が、接続部材５の支軸に対して限定されずに、自由に調整できると言う効果も奏する。
【００５１】
（第３の実施例）
次に、図１３乃至図１４を用いて、ノート型パソコン１の第３の実施例の構成について説明する。
【００５２】
第１の実施例では接続部材５が伸縮自在な２軸構成であったのに対して、第３の実施例における接続部材２５は、伸縮しない代わりに回動可能な３つめの軸を有する３軸構成となっている。尚、接続部材以外の構成は第１の実施例と同様であるため説明を省略する。
【００５３】
操作者が、入力装置２を操作しやすい位置に設置した後、例えば表示装置４をより遠くの（入力装置２から離れた）位置に配置させたい場合には、軸２５ａ、２５ｃを回動調節して遠い方向へ調整し、軸２５ｂを回動調節して表示装置４の角度を調整して、図１３に示すノート型パソコン１の状態にする。
【００５４】
また、操作者が、入力装置２を操作しやすい位置に設置した後、例えば表示装置４をより近くの（入力装置２に重なる）位置に配置させたい場合には、軸２５ａ、２５ｃを回動調節して近い方向へ調整し、軸２５ｂを回動調節して表示装置４の角度を調整して、図１４に示すノート型パソコン１の状態にする。
【００５５】
このように第３の実施例では、接続部分に設けられた２軸を回動することにより、表示装置４を入力装置２に対して、入力装置２に重なる程操作者（入力装置）に近い位置と、入力装置２に重ならず操作者（入力装置）から遠い位置との間を位置調整する構成となっている。従って、省スペースな携帯型電子機器でありながら、操作者の好みに応じて表示装置の位置を近距離にも遠距離にも調整することができるという効果を奏する。
【００５６】
また、表示装置４と入力装置２を含む本体３とを接続する接続部材５の３軸構成中、表示装置４側に設けられた軸を回動することにより、表示装置に遠近距離の調整のみに限らず、操作者の好みに応じて表示装置の高さをも調整することができるという効果を奏する。
【００５７】
また、接続部材５が表示装置４の両端部４ａ，４ｂに接続されているため、表示装置４の位置や角度が、接続部材５の支軸に対して限定されずに、自由に調整できると言う効果も奏する。
【００５８】
【発明の効果】
以上説明したように、本発明によれば、入力装置の位置に制限されることなく、表示装置を遠近方向の操作者の希望する位置に調整できる。
【図面の簡単な説明】
【図１】本発明の一実施の形態に係るノート型パソコン１の第１の実施例の構成を示す斜視図。
【図２】ノート型パソコン１の第１の実施例の構成を示す斜視図。
【図３】ノート型パソコン１の第１の実施例における表示装置の接続部分の構成を説明するための図。
【図４】ノート型パソコン１の第１の実施例の閉じた状態の構成を示す斜視図。
【図５】ノート型パソコン１の第１の実施例における表示装置と入力装置との電気接続の構成を説明するための図。
【図６】ノート型パソコン１の第１の実施例における表示装置と入力装置との電気接続の構成を説明するための図。
【図７】ノート型パソコン１の第１の実施例における入力装置と表示装置の接続部分の構成を説明するための図。
【図８】ノート型パソコン１の第２の実施例の構成を示す斜視図。
【図９】ノート型パソコン１の第２の実施例の構成を示す斜視図。
【図１０】ノート型パソコン１の第２の実施例の構成を示す斜視図。
【図１１】ノート型パソコン１の第２の実施例の構成を示す斜視図。
【図１２】ノート型パソコン１の第２の実施例における表示装置の接続部分の構成を説明するための図。
【図１３】ノート型パソコン１の第３の実施例の構成を示す斜視図。
【図１４】ノート型パソコン１の第３の実施例の構成を示す斜視図。
【符号の説明】
１    ノート型パーソナルコンピュータ（ノート型パソコン）
２    入力装置
３    本体
４    表示装置
８    軸穴
９    曲板
１０    ヒンジ部
５、１５，２５    接続部材
１６    取付部材
【図１】
2004199219.tif 000003
【図２】
2004199219.tif 000004
【図３】
2004199219.tif 000005
【図４】
2004199219.tif 000006
【図５】
2004199219.tif 000007
【図６】
2004199219.tif 000008
【図７】
2004199219.tif 000009
【図８】
2004199219.tif 000010
【図９】
2004199219.tif 000011
【図１０】
2004199219.tif 000012
【図１１】
2004199219.tif 000013
【図１２】
2004199219.tif 000014
【図１３】
2004199219.tif 000015
【図１４】
2004199219.tif 000016